(57)【要約】【課題】昇降する部分の軽量化を図るとともにメンテナンス性向上を図ることができる室内機ユニットおよび空気調和機を提供する。【解決手段】筐体と、枠体２４と、塵埃を捕集するエアフィルタ２９と、エアフィルタ２９に付着した塵埃を取り除く塵埃除去部３０と、エアフィルタ２９から取り除かれた塵埃を捕集する塵埃捕集部３１と、塵埃除去部３０および塵埃捕集部３１の一方に、塵埃除去部３０の駆動方向に並んで配置された複数の爪部３８，３８と、が設けられ、複数の爪部３８，３８の外側から内側への塵埃除去部３０および塵埃捕集部３１の他方の進入を許容するとともに、塵埃除去部３０および塵埃捕集部３１の他方が、複数の爪部３８，３８の内側から外側に移動する際には、爪部３８を介して塵埃除去部３０から塵埃捕集部３１に駆動力が伝達されることを特徴とする。【選択図】図１２
2011017481.tif 000002
【特許請求の範囲】
【請求項１】
天井に設置される筐体と、
該筐体内に室内空気を流入させる吸入部が設けられた枠体と、
該吸入部から流入する塵埃を捕集するエアフィルタと、
前記エアフィルタに沿って駆動され、前記エアフィルタに付着した塵埃を取り除く塵埃除去部と、
前記枠体に沿って前記塵埃除去部の駆動方向と同方向に移動可能に配置されるとともに前記塵埃除去部と前記枠体との間に配置され、前記エアフィルタから取り除かれた塵埃を捕集する塵埃捕集部と、
前記塵埃除去部および前記塵埃捕集部の一方に、前記塵埃除去部の駆動方向に並んで配置された複数の爪部と、
前記枠体および前記塵埃捕集部を前記筐体から昇降可能に支持する昇降部と、
が設けられ、
前記枠体および前記塵埃捕集部が前記筐体まで上げられた状態で、前記複数の爪部の外側から内側への前記塵埃除去部および前記塵埃捕集部の他方の進入を許容するとともに、
前記塵埃除去部および前記塵埃捕集部の他方が、前記複数の爪部の内側から外側に移動する際には、前記爪部を介して前記塵埃除去部から前記塵埃捕集部に駆動力が伝達されることを特徴とする室内機ユニット。
【請求項２】
前記爪部は、前記外側から前記内側に向かって、前記塵埃除去部および前記塵埃捕集部の一方から他方に突出する傾斜面を有し、
前記塵埃除去部および前記塵埃捕集部の他方が前記傾斜面に当接すると、前記爪部は前記他方により押圧されて前記一方の内部に押し込まれることを特徴とする請求項１記載の室内機ユニット。
【請求項３】
前記塵埃除去部は、前記枠体および前記塵埃捕集部が前記筐体から降ろされた状態から前記筐体まで上げられた場合に、前記エアフィルタに沿って駆動されることを特徴とする請求項１または２に記載の室内機ユニット。
【請求項４】
前記塵埃除去部は、前記エアフィルタに沿って延びるとともに、前記塵埃除去部の駆動方向に対して交差する方向に延びる棒状の部材であって、前記エアフィルタと当接して塵埃の除去を行う除去面が設けられ、
前記塵埃除去部を長手軸線まわりに回転させることにより、前記エアフィルタに対して前記除去面を当接または離間させることを特徴とする請求項１から３のいずれかに記載の室内機ユニット。
【請求項５】
請求項１から請求項４のいずれかに記載の室内機ユニットと、
該室内機ユニットとともに冷媒が循環する冷媒回路を構成する室外機ユニットと、
が設けられていることを特徴とする空気調和機。
【発明の詳細な説明】
【技術分野】
【０００１】
本発明は、室内機ユニットおよび空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１から３参照。）。
【０００５】
上述の特許文献１から３には、グリル、エアフィルタ、エアフィルタに捕集された塵埃を除去するブラシなどの塵埃除去部、および、除去された塵埃を溜める箱などが昇降部により昇降される技術が記載されている。
このようにすることで、エアフィルタから除去された塵埃を、高所に登ることなく容易に箱から取り除くことができる。
【先行技術文献】
【特許文献】
【０００６】
【特許文献１】特開２００７−０４０６８９号公報
【特許文献２】特開２００７−２２５１７１号公報
【特許文献３】特開２００７−２３２２４３号公報
【発明の概要】
【発明が解決しようとする課題】
【０００７】
しかしながら、グリル、エアフィルタ、塵埃除去部、および、塵埃を溜める箱などを一体として昇降部により昇降させる場合には、昇降にかかる部分の重量が大きくなり、昇降部にかかる負担が大きくなるという問題があった。
【０００８】
上述の問題を解決するために、昇降させる必要がある部分、例えば、グリルおよび塵埃を溜める箱のみを昇降させる方法も考えられる。
この場合には、グリルおよび塵埃を溜める箱を室内機ユニットから降ろす際に、塵埃除去部と塵埃を溜める箱とが分離され、グリルおよび塵埃を溜める箱を上げる際に、塵埃除去部と塵埃を溜める箱とが合体される。
【０００９】
しかしながら、塵埃除去部と、塵埃を溜める箱との配置位置が一致していない場合には、グリルおよび塵埃を溜める箱を上げても、塵埃除去部と塵埃を溜める箱とが合体できないという問題があった。
【００１０】
本発明は、上記の課題を解決するためになされたものであって、昇降する部分の軽量化を図るとともにメンテナンス性向上を図ることができる室内機ユニットおよび空気調和機を提供することを目的とする。
【課題を解決するための手段】
【００１１】
上記目的を達成するために、本発明は、以下の手段を提供する。
本発明の室内機ユニットは、天井に設置される筐体と、該筐体内に室内空気を流入させる吸入部が設けられた枠体と、該吸入部から流入する塵埃を捕集するエアフィルタと、前記エアフィルタに沿って駆動され、前記エアフィルタに付着した塵埃を取り除く塵埃除去部と、前記枠体に沿って前記塵埃除去部の駆動方向と同方向に移動可能に配置されるとともに前記塵埃除去部と前記枠体との間に配置され、前記エアフィルタから取り除かれた塵埃を捕集する塵埃捕集部と、前記塵埃除去部および前記塵埃捕集部の一方に、前記塵埃除去部の駆動方向に並んで配置された複数の爪部と、前記枠体および前記塵埃捕集部を前記筐体から昇降可能に支持する昇降部と、が設けられ、前記枠体および前記塵埃捕集部が前記筐体まで上げられた状態で、前記複数の爪部の外側から内側への前記塵埃除去部および前記塵埃捕集部の他方の進入を許容するとともに、前記塵埃除去部および前記塵埃捕集部の他方が、前記複数の爪部の内側から外側に移動する際には、前記爪部を介して前記塵埃除去部から前記塵埃捕集部に駆動力が伝達されることを特徴とする。
【００１２】
本発明によれば、塵埃除去部から塵埃捕集部を分離して枠体および塵埃捕集部のみが昇降される。そのため、枠体とともに、塵埃除去部および塵埃捕集部を昇降させる場合と比較して、昇降にかかる部分の重量が軽減される。
【００１３】
さらに、エアフィルタに沿って移動する塵埃除去部、および、枠体に沿って移動する塵埃捕集部の配置位置が異なった状態で、枠体および塵埃捕集部が筐体まで上げられた場合であっても、塵埃除去部をエアフィルタに沿って移動させることにより、塵埃除去部と塵埃捕集部とが一体となる。
具体的には、塵埃除去部と塵埃捕集部との配置位置が異なった状態で、塵埃除去部がエアフィルタに沿って移動すると、塵埃除去部および塵埃捕集部の一方に設けられた複数の爪部に対して他方が、外側から内側に向って移動することになる。塵埃除去部および塵埃捕集部の他方は複数の爪部の内側に進入し、塵埃除去部および塵埃捕集部は一体となる。その後、爪部を介して塵埃除去部から塵埃捕集部に駆動力が伝達されるため、塵埃除去部および塵埃捕集部は一体のまま、エアフィルタおよび枠体に沿って移動する。
【００１４】
塵埃除去部は、塵埃捕集部と一体となってエアフィルタに沿って移動することにより、エアフィルタに捕集された塵埃を、エアフィルから取り除く。エアフィルタから取り除かれた塵埃は、エアフィルタから枠体に向って落下し、塵埃捕集部に溜められる。
塵埃捕集部に溜められた塵埃は、塵埃捕集部を天井に設置された筐体から塵埃捕集部を降ろすことにより、塵埃捕集部から取り除かれる。
【００１５】
上記発明においては、前記爪部は、前記外側から前記内側に向かって、前記塵埃除去部および前記塵埃捕集部の一方から他方に突出する傾斜面を有し、前記塵埃除去部および前記塵埃捕集部の他方が前記傾斜面に当接すると、前記爪部は前記他方により押圧されて前記一方の内部に押し込まれることが望ましい。
【００１６】
本発明によれば、塵埃除去部および塵埃捕集部の一方に設けられた複数の爪部に対して他方が、外側から内側に向って移動すると、塵埃除去部および塵埃捕集部の他方が爪部の傾斜面と当接する。当該他方がさらに内側に向って移動すると、傾斜面、つまり爪部は塵埃除去部および塵埃捕集部の一方の内部に向って押し込まれ、塵埃除去部および塵埃捕集部の他方は複数の爪部の内側に進入し、塵埃除去部および塵埃捕集部は一体となる。
その一方で、塵埃除去部および塵埃捕集部の一方の内部に押し込まれた爪部は、再び塵埃除去部および塵埃捕集部の他方に向かって突出する。
【００１７】
上記発明においては、前記塵埃除去部は、前記枠体および前記塵埃捕集部が前記筐体から降ろされた状態から前記筐体まで上げられた場合に、前記エアフィルタに沿って駆動されることが望ましい。
【００１８】
本発明によれば、枠体および塵埃捕集部が筐体から降ろされた状態から、再び筐体まで上げられ、塵埃除去部と塵埃捕集部との配置位置がズレた場合であっても、塵埃除去部がエアフィルタに沿って駆動されるため、塵埃除去部と塵埃捕集部とを一体にすることができる。
【００１９】
上記発明においては、前記塵埃除去部は、前記エアフィルタに沿って延びるとともに、前記塵埃除去部の駆動方向に対して交差する方向に延びる棒状の部材であって、前記エアフィルタと当接して塵埃の除去を行う除去面が設けられ、前記塵埃除去部を長手軸線まわりに回転させることにより、前記エアフィルタに対して前記除去面を当接または離間させることが望ましい。
【００２０】
本発明によれば、除去面をエアフィルタに当接した状態で、塵埃除去部をエアフィルタに沿って駆動させることにより、エアフィルタに捕集された塵埃は除去される。
その一方で、塵埃除去部を長手軸線まわりに回転させて、除去面をエアフィルタから離間させた状態で、塵埃除去部をエアフィルタに沿って駆動させることにより、塵埃除去部と塵埃捕集部とを一体にする際に、エアフィルタに与える疲労を軽減できる。
【００２１】
本発明の空気調和機は、上記本発明の室内機ユニットと、該室内機ユニットとともに冷媒が循環する冷媒回路を構成する室外機ユニットと、が設けられていることを特徴とする。
【００２２】
本発明によれば、上記本発明の室内機ユニットが設けられていることにより、エアフィルタに捕集された塵埃を除去する塵埃除去部から、除去された塵埃を溜める塵埃捕集部を分離して昇降させることにより、昇降する部分の軽量化を図るとともに、室内機ユニットのメンテナンス性向上を図ることができる。
【発明の効果】
【００２３】
本発明の室内機ユニットおよび空気調和機によれば、塵埃除去部から塵埃捕集部を分離して枠体および塵埃捕集部のみを昇降させるとともに、塵埃除去部および塵埃捕集部の他方が、塵埃除去部および塵埃捕集部の一方に設けられた複数の爪部の外側から内側への進入することを許容することにより、昇降する部分の軽量化を図るとともにメンテナンス性向上を図ることができるという効果を奏する。
【図面の簡単な説明】
【００２４】
【図１】本発明の一実施形態に係る空気調和機の全体構成を説明する図である。
【図２】図１の室内機ユニットにおける一部の構成を説明する模式図である。
【図３】図２の吸い込みグリルおよびダストボックスが降ろされた状態を説明する模式図である。
【図４】図２のエアフィルタおよび清掃部の構成を説明する模式図である。
【図５】図２のブラシ部の構成を説明する模式図である。
【図６】図２の吸込みグリルおよびダストボックスの構成を説明する模式図である。
【図７】図２の吸込みグリルおよびダストボックスの構成を説明する模式図である。
【図８】図７の爪部の構成を説明する模式図である。
【図９】図８の爪部の別の実施例を説明する模式図である。
【図１０】図６の誘導部および吸込みグリルの構成を説明する模式図である。
【図１１】エアフィルタから塵埃を除去する場合の清掃部とエアフィルタとの関係を説明する模式図である。
【図１２】清掃部およびダストボックスの一体化を説明する模式図である。
【発明を実施するための形態】
【００２５】
この発明の一実施形態に係る空気調和機について、図１から図１２を参照して説明する。
図１は、本実施形態に係る空気調和機の全体構成を説明する図である。
空気調和機１は、図１に示すように、天井に設置される室内機ユニット２と、室外に設置される室外機ユニット３と、室内機ユニット２と室外機ユニット３との間で冷媒を循環させる冷媒流路４と、から概略構成されている。
【００２６】
室外機ユニット３は、図１に示すように、冷媒を圧縮する圧縮機１１と、冷媒と室外空気との間で熱交換を行なう室外熱交換器１２と、室外ファン１３と、から概略構成されている。
【００２７】
室内機ユニット２は、図１に示すように、下部に天面パネル２１を有し、天井に埋め込み設置される筐体２２と、室内空気を吸込む吸込口（吸入部）２３が形成された吸込みグリル（枠体）２４と、室内空気を吸込み送り出す室内ファン２５と、室内空気と冷媒との間で熱交換を行なう室内熱交換器２６と、から概略構成されている。
【００２８】
筐体２２内部の上面における略中央には、室内ファン２５を駆動するファンモータ（図示せず）が配置され、室内ファン２５の周囲には、室内熱交換器２６が配置されている。室内ファン２５の下方（図１中の下方）には、室内ファン２５に流入する室内空気の流れを整えるベルマウス２７が配置され、ベルマウス２７の下方には、吸込みグリル２４が配置されている。天面パネル２１に設けられた吸込みグリル２４の周囲には、室内ファン２５から室内熱交換器２６を通過した室内空気が、筐体２２から流出する吹出口２８が形成されている。
【００２９】
図２は、図１の室内機ユニットにおける一部の構成を説明する模式図である。図３は、図２の吸い込みグリルおよびダストボックスが降ろされた状態を説明する模式図である。
筐体２２には、図２および図３に示すように、吸入される空気に含まれる塵埃等を除去するエアフィルタ２９が設けられている。さらに、エアフィルタ２９と吸込みグリル２４との間には、エアフィルタ２９を清掃する清掃部（塵埃除去部）３０およびダストボックス（塵埃捕集部）３１と、吸込みグリル２４を昇降させるワイヤ（昇降部）３２と、が備えられている。
【００３０】
図４は、図２のエアフィルタおよび清掃部の構成を説明する模式図である。
エアフィルタ２９は、図２から図４に示すように、吸込みグリル２４から室内ファン２５に吸入される空気に含まれる塵埃等を除去するものである。エアフィルタ２９は、吸込みグリル２４と室内ファン２５との間であって、筐体２２の略中央領域、言い換えると吸入される空気が流れる領域に取り付けられている。
【００３１】
エアフィルタ２９には、吸入される空気に含まれる塵埃等を除去するフィルタ部２９Ａが設けられている。さらに、エアフィルタ２９には、吸込みグリル２４との間に清掃部３０と、清掃部３０を移動させる一対のドライブシャフト３３およびドライブモータ３４と、が設けられている。
なお、エアフィルタ２９としては、公知のものを用いることができ、特に限定するものではない。
【００３２】
ドライブシャフト３３は、ドライブモータ３４とともに清掃部３０をエアフィルタ２９に沿って移動させるものである。
ドライブシャフト３３は、図４に示すように、エアフィルタ２９におけるフィルタ部２９Ａを間に挟んで、かつ、フィルタ部２９Ａに沿って延びて配置された円柱状の部材である。ドライブシャフト３３は、中心軸線まわりに回転可能に配置されているとともに、一方の端部において、ドライブモータ３４からギアなどを介して回転駆動力が伝達可能とされている。
さらに、ドライブシャフト３３の円周面には、清掃部３０の雌ネジと噛み合わされる雄ネジが設けられている。
【００３３】
ドライブモータ３４は、ドライブシャフト３３とともに清掃部３０をエアフィルタ２９に沿って移動させるものである。ドライブモータ３４は、図４に示すように、ドライブシャフト３３の一方の端部に配置され、かつ、エアフィルタ２９やフィルタ部２９Ａの対角線上に配置されている。
なお、ドライブモータ３４としては公知のモータを用いることができ、特に限定するものではない。
【００３４】
清掃部３０は、図２から図４に示すように、エアフィルタ２９に沿って移動されることにより、フィルタ部２９Ａに捕集された塵埃を、フィルタ部２９Ａから除去するものである。言い換えると、ドライブシャフト３３に沿って往復移動されることにより、フィルタ部２９Ａから塵埃を除去するものである。
清掃部３０は、ドライブシャフト３３が延びる方向、つまり移動方向に対して直交する方向に延びるブラシ部３５と、ブラシ部３５を支えるブラシ支持部３６と、が設けられている。
【００３５】
図５は、図２のブラシ部の構成を説明する模式図である。
ブラシ部３５には、図５に示すように、四角柱状に形成された中心部３５Ｃと、中心部３５Ｃを挟む一対の当接部３５Ａ，３５Ｂと、が設けられている。
【００３６】
中心部３５Ｃは、長手軸線方向（図５における紙面に対して垂直方向）まわりに、所定の角度、本実施形態では９０°ごとに回転可能に構成されたものである。
中心部３５Ｃの一方の側面、および、反対側の他方の側面には、それぞれ当接部３５Ａ，３５Ｂが設けられている。
【００３７】
当接部３５Ａ，３５Ｂは、中心部３５Ｃの側面に配置されるものであって、エアフィルタ２９と当接する円周面を有する断面が三日月型の部材である。さらに、当接部３５Ａ，３５Ｂが中心部３５Ｃに配置された状態で、当接部３５Ａ，３５Ｂの円周面は中心および径を共有するように構成されている。
【００３８】
当接部３５Ａの円周面は、フィルタ部２９Ａに捕集された塵埃を取り除く除去面３５Ｄとされている。
本実施形態では除去面３５Ｄは、ブラシ部３５の径方向外側に向かって、周方向の一方向に傾斜して延びる複数の繊維が設けられたものに適用して説明する。
この場合、ブラシ部３５がフィルタ部２９Ａに沿って往復移動することにより、除去面３５Ｄの繊維によりフィルタ部２９Ａから塵埃が取り除かれる。
【００３９】
ブラシ支持部３６は、図２から図５に示すように、ブラシ部３５の周囲を覆うとともにブラシ部３５を長手軸線まわり（図２の紙面に対して垂直な軸線まわり）に回転可能に支持するものである。
【００４０】
ブラシ支持部３６には、エアフィルタ２９側および吸込みグリル２４側に開口が設けられ、ブラシ部３５がエアフィルタ２９に当接可能にするとともに、エアフィルタ２９から除去された塵埃が、ダストボックス３１に捕集可能とされている。さらに、ブラシ支持部３６の長手方向における両端部には、ドライブシャフト３３が貫通して配置され、ドライブシャフト３３の雄ネジと噛み合わされる雌ネジが設けられている。
【００４１】
図６および図７は、図２の吸込みグリルおよびダストボックスの構成を説明する模式図である。
ダストボックス３１は、図２、図３および図６に示すように、清掃部３０とともに移動して、エアフィルタ２９から除去された塵埃を捕集するものである。さらに、ダストボックス３１は、エアフィルタ２９および清掃部３０から分離され、吸込みグリル２４とともに昇降されるものである。
【００４２】
ダストボックス３１には、図７及び図８に示すように、捕集部３７と、爪部３８と、誘導部３９と、が設けられている。
【００４３】
捕集部３７は、ダストボックス３１の本体であって、清掃部３０によりフィルタ部２９Ａから除去された塵埃を捕集する凹みが形成されたものである。捕集部３７の凹みは、ドライブシャフト３３が延びる方向に対して直交する方向に延びる、言い換えると、ブラシ部３５に沿って延びるとともに、吸込みグリル２４側に凹むものである。
【００４４】
爪部３８は、清掃部３０の移動をダストボックス３１に伝達するとともに、分離された清掃部３０とダストボックス３１とを一体化させるものである。爪部３８は、捕集部３７における四隅に配置されたものであって、捕集部３７から清掃部３０やエアフィルタ２９に向って突出して配置されたものである。
【００４５】
図８は、図７の爪部の構成を説明する模式図である。
爪部３８は、図８に示すように、弾性を有する板状の部材を折り曲げて形成したものであって、傾斜面３８Ａと、当接面３８Ｂと、が設けられたものである。
【００４６】
傾斜面３８Ａは、捕集部３７の外側から内側に向って（図８の右から左に向って）、捕集部３７から清掃部３０に近づく方向に（図８の上方向に）傾斜した面である。傾斜面３８Ａにおける外側の端部（図８の右側の端部）には、エアフィルタ２９や吸込みグリル２４などと略平行に延びる取付け面３８Ｃが設けられている。
【００４７】
爪部３８は、取付け面３８Ｃにおいて捕集部３７に取り付けられている。
そのため、清掃部３０が捕集部３７の外側から内側に向って移動して、傾斜面３８Ａと接触すると、爪部３８は、傾斜面３８Ａおよび取付け面３８Ｃの近傍で弾性変形して回動し、捕集部３７の内部に押し込まれる。
【００４８】
当接面３８Ｂは、傾斜面３８Ａにおける捕集部３７の内側の端部（図８の左側の端部）から、清掃部３０の移動方向に対して略垂直に延びる面（図８の紙面に対して直交する面）である。
そのため、清掃部３０が捕集部３７の内側から外側に向かって移動して、当接面３８Ｂと当接すると、清掃部３０の移動は、爪部３８を介して捕集部３７やダストボックス３１に伝達される。
【００４９】
図９は、図８の爪部の別の実施例を説明する模式図である。
なお、爪部３８は、上述のように一枚の弾性を有する板状の部材から形成されたものであってもよいし、図９に示すように、断面が略三角形状の柱部３８Ｘを、清掃部３０の移動方向に対して直交する方向に延びる回転軸３８Ｙまわりに回転可能に配置し、バネなどの弾性部３８Ｚを用いて、捕集部３７から清掃部３０に向って突出させてもよく、特に限定するものではない。
【００５０】
この場合であっても、清掃部３０が捕集部３７の外側から内側に向って移動して、傾斜面３８Ａと接触すると、弾性部３８Ｚが伸びるとともに、爪部３８は回転軸３８Ｙまわりに回動して、捕集部３７の内部に押し込まれる。
その一方で、清掃部３０が捕集部３７の内側から外側に向かって移動して、当接面３８Ｂと当接すると、清掃部３０の移動は、爪部３８を介して捕集部３７やダストボックス３１に伝達される。
【００５１】
図１０は、図６の誘導部および吸込みグリルの構成を説明する模式図である。
誘導部３９は、図６および図１０に示すように、吸込みグリル２４の第１レール４０および第２レール４１とともに、ダストボックス３１を吸込みグリル２４の面に沿って移動させるものである。
誘導部３９には、ダストボックス３１における長手方向の両端のそれぞれに一対の第１車輪３９Ａ、および、一対の第２車輪３９Ｂが設けられている。
【００５２】
第１車輪３９Ａは、吸込みグリル２４の面に対して直交方向（図１０の上下方向）に延びる回転軸線まわりに回転可能に支持された円柱状の部材である。第１車輪３９Ａの円周面には、第１レール４０が配置される円環状の溝が形成されている。
【００５３】
第１レール４０は、図６および図１０に示すように、吸込みグリル２４に対して着脱可能とされた板状の部材である。
第１レール４０には、吸込みグリル２４の面に沿って延びるとともに、吸込みグリル２４の外側から内側に向って延びる第１突出部４０Ａが設けられ、第１突出部４０Ａと第１車輪３９Ａの溝とが噛み合わされている。
【００５４】
第２車輪３９Ｂは、吸込みグリル２４の面に沿って延びるとともに、ダストボックス３１の移動方向に対して直交方向（図１０の左右方向）に延びる回転軸線まわり回転可能に支持された円柱状の部材である。第２車輪３９Ｂの円周面には、第２レール４１が配置される円環状の溝が形成されている。
【００５５】
第２レール４１は、図１０に示すように、吸込みグリル２４から延びる部材であって、吸込みグリル２４側からダストボックス３１を支持するものである。
第２レール４１には、ダストボックス３１の移動方向に沿って延びるとともに、吸込みグリル２４からエアフィルタ２９に向って延びる第２突出部４１Ｂが設けられ、第２突出部４１Ｂと第２車輪３９Ｂの溝とが噛み合わされている。
【００５６】
ワイヤ３２は、吸込みグリル２４およびダストボックス３１を、天井に配置された筐体２２から昇降させるものである。
本実施形態では、ワイヤ３２の一方の端部は吸込みグリル２４の縁領域である枠部の四隅に固定され、他方の端部は筐体２２に設けられた昇降用モータのプーリなど（図示せず。）に巻きつけられている例に適用して説明する。
【００５７】
なお、吸込みグリル２４およびダストボックス３１を昇降させる機構としては、上述のようにワイヤ３２および昇降用モータを用いる機構であってもよいし、その他の公知の機構であってもよく、特に限定するものではない。
【００５８】
次に、上記の構成からなる空気調和機１における作用について説明する。
まず、空気調和機１における冷房運転時の作用について説明する。
冷媒は、図１に示すように、圧縮機１１により圧縮され高温高圧の状態で室外熱交換器１２に送り出される。室外熱交換器１２に流入した冷媒は、室外空気に対して熱を放出し、凝縮して液化する。液化した冷媒は、膨張弁を通過する際に減圧され室内熱交換器２６に流入する。室内熱交換器２６に流入した冷媒は、室内空気から熱を奪い、蒸発して気化する。気化した冷媒は再び圧縮機１１に流入し、上述のサイクルを繰り返す。
【００５９】
次に空気調和機１における暖房運転時の作用について説明する。
冷媒は、圧縮機１１により圧縮され室内熱交換器２６に送り出される。室内熱交換器２６に流入した冷媒は、室内空気に対して熱を放出し、凝縮して液化する。液化した冷媒は、膨張弁を通過する際に減圧され室外熱交換器１２に流入する。室外熱交換器１２に流入した冷媒は、室外熱交換器１２から熱を奪い、蒸発して気化する。気化した冷媒は再び圧縮機１１に流入し、上述のサイクルを繰り返す。
【００６０】
次に、室内機ユニット２内における室内空気の流れについて説明する。
室内空気は、図１および図２に示すように、ファンモータにより室内ファン２５が回転駆動されることにより、吸込口２３から筐体２２内に流入する。筐体２２に流入した室内空気は、エアフィルタ２９を通過し、室内空気に含まれるゴミがエアフィルタ２９に捕集される。エアフィルタ２９を通過した室内空気は、ベルマウス２７を通過して室内ファン２５に吸込まれる。室内ファン２５に吸込まれた室内空気は、室内ファン２５の半径方向外側へ送り出され、室内熱交換器２６を通過する。
【００６１】
冷房運転時には、室内空気は室内熱交換器２６を通過する際に冷媒に熱を奪われ冷却される。一方、暖房運転時には、室内空気は室内熱交換器２６を通過する際に冷媒から熱を受取り加熱される。
室内熱交換器２６を通過した室内空気は、吹出口２８から室内へ流出する。
【００６２】
次に本実施形態の特徴である、エアフィルタ２９に捕集された塵埃の除去、および、ダストボックス３１に貯留された塵埃の取り除き方法について、説明する。
まず、エアフィルタ２９に捕集された塵埃の除去方法について説明する。
【００６３】
図１１は、エアフィルタから塵埃を除去する場合の清掃部とエアフィルタとの関係を説明する模式図である。
エアフィルタ２９に捕集された塵埃を除去する場合には、図１１に示すように、ブラシ部３５を回転させて、除去面３５Ｄを有する当接部３５Ａをエアフィルタ２９のフィルタ部２９Ａに接触させる。
その後、図２および図４に示すように、ドライブモータ３４によりドライブシャフト３３を回転させて、清掃部３０およびダストボックス３１を、エアフィルタ２９の面に沿って往復移動させる。
【００６４】
清掃部３０がエアフィルタ２９に沿って移動すると、除去面３５Ｄがフィルタ部２９Ａに接触した状態で往復移動し、除去面３５Ｄの繊維により塵埃がフィルタ部２９Ａから除去される。除去された塵埃は、清掃部３０から下方、つまりダストボックス３１に向って落下し、ダストボックス３１に貯留される。
【００６５】
つぎに、ダストボックス３１に貯留された塵埃を除去する方法について説明する。
塵埃の除去を行わない場合には、清掃部３０のブラシ部３５は回転されて、図２に示すように、エアフィルタ２９から離間された状態となっている。これにより、エアフィルタ２９にかかる負荷が減らされている。
【００６６】
そして、図３に示すように、ワイヤ３２が筐体２２の昇降用モータのプーリから繰り出されることにより、吸込みグリル２４およびダストボックス３１が、天井に配置された筐体２２から下方に下ろされる。
このとき、清掃部３０は、エアフィルタ２９とともに筐体２２の内部に残されている。
ダストボックス３１から塵埃が取り除かれると、ワイヤ３２が筐体２２の昇降用モータのプーリに巻き取られ、吸込みグリル２４およびダストボックス３１が筐体２２まで引上げられる。
【００６７】
図１２は、清掃部およびダストボックスの一体化を説明する模式図である。
ダストボックス３１から塵埃が取り除かれる際に、図１２に示すように、吸込みグリル２４や清掃部３０に対するダストボックス３１の相対位置が移動する場合がある。このような場合には、吸込みグリル２４およびダストボックス３１が筐体２２まで引上げただけでは、清掃部３０とダストボックス３１とが分離した状態となる。
【００６８】
そこで、吸込みグリル２４およびダストボックス３１が筐体２２まで引上げられると、ドライブモータ３４によりドライブシャフト３３を回転させて、清掃部３０をエアフィルタ２９の面に沿って往復移動させる。
なお、吸込みグリル２４などが筐体２２まで引上げられたか否かは、筐体２２と吸込みグリル２４との間の配置された接触センサの検出信号や、昇降用モータの負荷や回転の測定値などに基づいて判断することができ、特に限定するものではない。
【００６９】
清掃部３０が移動すると、図８および図１２に示すように、清掃部３０のブラシ支持部３６が、爪部３８の傾斜面３８Ａと接触する。ブラシ支持部３６がダストボックス３１の外側から内側に向って移動すると、爪部３８は傾斜面３８Ａが押圧されることにより、図８の破線で示すように、清掃部３０側から捕集部３７側に向かって押し込まれる。
すると、清掃部３０は、押し込まれた爪部３８を乗り越えて、爪部３８と爪部３８との間に進入し、清掃部３０とダストボックス３１とは一体化される（図１１など参照。）。押し込まれた爪部３８は、図８の実線で示すように、弾性力により再びエアフィルタ２９側に向って突出する。
【００７０】
さらに清掃部３０が移動すると、清掃部３０のブラシ支持部３６は、爪部３８の当接面３８Ｂと接触する。爪部３８は清掃部３０内に押し込まれることなく、清掃部３０の移動を捕集部３７に伝達する。
【００７１】
上記の構成によれば、清掃部３０からダストボックス３１を分離して吸込みグリル２４およびダストボックス３１のみが昇降されため、吸込みグリル２４とともに、清掃部３０およびダストボックス３１を昇降させる場合と比較して、昇降にかかる部分の重量を軽減することができる。
さらに、ダストボックス３１を筐体２２から降ろすことができるため、ダストボックス３１から塵埃の除去が行いやすくなり、室内機ユニット２のメンテナンス性の向上を図ることができる。
【００７２】
吸込みグリル２４およびダストボックス３１が筐体２２から降ろされた状態から、再び筐体２２まで上げられ、清掃部３０とダストボックス３１との配置位置がズレた場合であっても、清掃部３０がエアフィルタ２９に沿って駆動されるため、清掃部３０とダストボックス３１とを一体にすることができる。
【００７３】
除去面３５Ｄをエアフィルタ２９に当接した状態で、清掃部３０をエアフィルタ２９に沿って駆動させることにより、エアフィルタ２９に捕集された塵埃は除去される。
その一方で、清掃部３０を長手軸線まわりに回転させて、除去面３５Ｄをエアフィルタ２９から離間させた状態で、清掃部３０をエアフィルタ２９に沿って駆動させることにより、清掃部３０とダストボックス３１とを一体にする際に、エアフィルタ２９に与える疲労を軽減できる。
【符号の説明】
【００７４】
１  空気調和機
２  室内機ユニット
３  室外機ユニット
４  冷媒流路
２２  筐体
２３  吸込口（吸入部）
２４  吸込みグリル（枠体）
２９  エアフィルタ
３０  清掃部（塵埃除去部）
３１  ダストボックス（塵埃捕集部）
３２  ワイヤ（昇降部）
３５Ｄ  除去面
３８  爪部
３８Ａ  傾斜面
【図１】
2011017481.tif 000003
【図２】
2011017481.tif 000004
【図３】
2011017481.tif 000005
【図４】
2011017481.tif 000006
【図５】
2011017481.tif 000007
【図６】
2011017481.tif 000008
【図７】
2011017481.tif 000009
【図８】
2011017481.tif 000010
【図９】
2011017481.tif 000011
【図１０】
2011017481.tif 000012
【図１１】
2011017481.tif 000013
【図１２】
2011017481.tif 000014